(57)【要約】【課題】  幌の下の空間、または前方の空間を有効に活用することのできる乳母車用幌セットを提供する。【解決手段】  乳母車用幌セットは、幌１０と、幌１０の前縁部１１に接続手段を介して、選択的に取り付けられる複数の異なった種類の付属部品２０，３０とを備える。複数の付属部品は、例えば、幌１０の延長部分を形成する幌延長部材２０、および吊下げおもちゃ３０を含む。接続手段は、幌１０の前縁部１１に沿って取り付けられた一方側レール１２と、複数の付属部品のそれぞれに取り付けられた他方側レール２３と、一方側レール１２と他方側レール２３とを接続するスライダ１４とを含む。【選択図】      図３
2005254837.tif 000002
【特許請求の範囲】
【請求項１】
乳母車用幌と、
前記幌の前縁部に接続手段を介して、選択的に取り付けられる複数の異なった種類の付属部品とを備える、乳母車用幌セット。
【請求項２】
前記複数の付属部品は、それぞれ、取り付け状態において前記幌の前縁部に沿って延びる縁部材を含む、請求項１に記載の乳母車用幌セット。
【請求項３】
前記接続手段は、前記幌の前縁部に沿う複数の箇所で前記付属部品と前記幌とを取り外し可能に接続する、請求項１または２に記載の乳母車用幌セット。
【請求項４】
前記接続手段は、
前記幌の前縁部に沿って取り付けられた一方側レールと、
前記複数の付属部品のそれぞれに取り付けられた他方側レールと、
前記一方側レールと前記他方側レールとを接続するスライダとを含む、請求項１〜３のいずれかに記載の乳母車用幌セット。
【請求項５】
前記付属部品は、幌の延長部分を形成する幌延長部材、および吊下げおもちゃを含む、請求項１〜４のいずれかに記載の乳母車用幌セット。
【発明の詳細な説明】
【技術分野】
【０００１】
この発明は、乳母車の幌に関し、特に幌の下の空間または前方の空間を有効に利用することのできる乳母車用幌セットに関するものである。
【背景技術】
【０００２】
幌を備えた乳母車の場合、幌の下、または前方に大きな空間が生じる。
【発明の開示】
【発明が解決しようとする課題】
【０００３】
本願発明者は、幌を利用して上記の大きな空間を有効に活用することを検討した。あるときには、幌の前方からの日差しを遮ったり、強烈な日差しを和らげたりする幌延長部分を作りたい。また、あるときには、着座した子供が遊んだり見て楽しんだりすることができるような遊び用具を配置したい。
【０００４】
本発明の目的は、幌の下の空間、または前方の空間を有効に活用することのできる乳母車用幌セットを提供することである。
【課題を解決するための手段】
【０００５】
乳母車用幌セットは、幌と、幌の前縁部に接続手段を介して、選択的に取り付けられる複数の異なった種類の付属部品とを備える。
【０００６】
上記の構成によれば、複数の付属部品の中から、必要に応じて最適のものを選んで幌の前縁部に取り付けることができるので、幌の下の空間、または幌の前方の空間を有効に活用することができる。複数の付属部品は、例えば、幌の延長部分を形成する幌延長部材、および吊下げおもちゃを含む。
【０００７】
一つの実施形態では、複数の付属部品は、それぞれ、取り付け状態において幌の前縁部に沿って延びる縁部材を含む。接続手段は、好ましくは、幌の前縁部に沿う複数の箇所で付属部品と幌とを取り外し可能に接続する。
【０００８】
接続手段は、例えば、幌の前縁部に沿って取り付けられた一方側レールと、複数の付属部品のそれぞれに取り付けられた他方側レールと、一方側レールと他方側レールとを接続するスライダとを含む。
【発明を実施するための最良の形態】
【０００９】
図１に示す乳母車１は、ドーム型の幌１０を備える。幌１０の前縁部１１は、幌骨によってその円弧形状がしっかりと保持されている。図示するように、幌１０の下、または幌１０の前方には、大きな空間が形成される。乳母車１の座席に着座した子供のために、この大きな空間を有効に利用したい。
【００１０】
そのために、幌セットは、幌１０に加えて、幌１０の前縁部１１に接続手段を介して、選択的に取り付けられる複数の異なった種類の付属部品を備える。図示した実施形態では、付属部品として、図２および図３に示す幌延長部材２０と、図４に示す吊下げおもちゃ３０とを備える。
【００１１】
図２は、幌１０の前縁部１１に、接続手段を介して幌延長部材２０が取り付けられている状態を示している。幌延長部材２０は、そのほぼ全体が強烈な日差しを和らげるためのメッシュ地２２からなり、その後縁部が幌１０の前縁部１１に接続されている。また、幌延長部材２０の前縁部２１には剛性のある部材が取り付けられていて、その円弧形状がしっかりと保持されている。
【００１２】
図３は、幌延長部材２０を幌１０に接続するための接続手段の具体的形態を示している。接続手段はスライドファスナーであり、一方側のレール部材１２と、他方側のレール部材２３と、両レール部材１２，２３を接続するためのスライダ１４とを含む。
【００１３】
一方側のレール部材１２は、幌１０の前縁部１１に沿って縫い付けられており、その側縁に噛合い歯１３を有している。スライダ１４は、一方側レール部材１２の噛合い歯１３上に留まっている。
【００１４】
他方側のレール部材２３は、幌延長部材２０の後縁部に取り付けられており、その側縁に、一方側レール部材１２の噛合い歯１３に係合し得る噛合い歯２４を有する。
【００１５】
図４に示す吊下げおもちゃ３０は、幌１０のレール部材１２に係合し得るレール部材３１と、このレール部材３１に紐３３を介して吊り下げられた複数の物３４とを備える。レール部材３１の側縁には、幌１０の噛合い歯１３に係合し得る噛合い歯３２が形成されている。
【００１６】
図示した実施形態では、幌１０の前縁部１１に選択的に取り付けられる付属部品として、幌延長部材２０および吊下げおもちゃ３０の２種類を記載したが、他の多くの種類の付属部品を用意しておいてもよい。それらの付属部品において、共通する形態は、幌１０のレール部材１２に係合し得るレール部材を備えている点である。
【００１７】
上記のような付属部品を多数種類用意しておけば、乳母車使用者は、多数の付属部品の中から、必要に応じて最適のものを選んで幌１０の前縁部１１に取り付けることができるので、幌１０の下の空間、または幌１０の前方の空間を有効に活用することができる。図示した実施形態では、付属部品と幌との接続を、幌１０の前縁部に沿って延びるスライドファスナーによって実現しているので、付属部品に下方への重力が作用しても幌１０との接続状態を固く維持することができる。
【００１８】
図示した実施形態では、幌と付属部品とを接続する接続手段として、スライドファスナーを用いたが、他の構造の接続手段であってもよい。例えば、面ファスナー、留めボタン等を採用してもよい。その場合、幌と付属部品との接続力を強固に維持するために、好ましくは、幌の前縁部に沿う複数の箇所で付属部品と幌とを接続するようにする。
【００１９】
また、図示した実施形態では、幌がドーム型の形態を有していたが、異なった形態の幌であってもこの発明を適用できる。
【００２０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２１】
この発明は、乳母車の幌に有利に適用され得る。
【図面の簡単な説明】
【００２２】
【図１】乳母車を示す斜視図である。
【図２】幌延長部材を取り付けた状態の乳母車を示す斜視図である。
【図３】幌延長部材と幌とを接続する接続手段を示す図である。
【図４】吊下げおもちゃを示す図である。
【符号の説明】
【００２３】
１  乳母車、１０  幌、１１  前縁部、１２  一方側レール部材、１３  噛合い歯、１４  スライダ、２０  幌延長部材、２１  前縁部、２２メッシュ地、２３  他方側レール部材、２４  噛合い歯、３０  吊下げおもちゃ、３１  レール部材、３２  噛合い歯、３３  紐、３４  物。
【図１】
2005254837.tif 000003
【図２】
2005254837.tif 000004
【図３】
2005254837.tif 000005
【図４】
2005254837.tif 000006